(57)【要約】【課題】コネクタの挿入力を低減する。【解決手段】コネクタは、複数の接続端子と、第１可動ハウジングと、第２可動ハウジングと、固定ハウジングと、第１ストッパと、第２ストッパとを備える。第１可動ハウジングは、第１接続端子を収容し、挿入方向に移動可能に固定ハウジングに支持されている。第２可動ハウジングは、第２接続端子を収容し、挿入方向に移動可能に固定ハウジングに支持されている。第１ストッパは、第１可動ハウジングと固定ハウジングとの間に挟まれることによって、相手コネクタの挿入方向における第１可動ハウジングの可動域を制限する。第２ストッパは、第２の動ハウジングと固定ハウジングとの間に挟まれることによって、第１ストッパとは異なる制限量で、挿入方向における第２可動ハウジングの可動域を制限する。【選択図】図８
2019075337.tif 000002
【特許請求の範囲】
【請求項１】
相手側コネクタへ２本の配線を接続するコネクタであって、
前記２本の配線の一方に接続されており、前記相手側コネクタにおける相手側第１接続端子と接触する第１接続端子と、
前記２本の配線の他方に接続されており、前記相手側コネクタにおける相手側第２接続端子と接触する第２接続端子と、
固定ハウジングと、
前記第１接続端子を収容しており、当該コネクタの前記相手側コネクタへの挿抜方向に移動可能に前記固定ハウジングに支持されている第１可動ハウジングと、
前記第２接続端子を収容しており、前記挿抜方向に移動可能に前記固定ハウジングに支持されている第２可動ハウジングと、
前記相手側コネクタの挿入方向における前記第１可動ハウジングの可動域を制限する第１ストッパと、
前記第１ストッパとは異なる制限量で、前記挿入方向における前記第２可動ハウジングの可動域を制限する第２のストッパと、
を備えているコネクタ。
【発明の詳細な説明】
【技術分野】
【０００１】
本明細書は、コネクタに関する技術を開示する。
【背景技術】
【０００２】
コネクタは、各種の電気機器における配線を接続する。自動車の電気機器にも多くのコネクタが用いられている。特許文献１には、コネクタを接続する際における挿入力の低減を目的として、相手側接続端子と嵌合する際に最大挿入力となる挿入方向の位置が異なる複数の接続端子を備えるコネクタについて開示されている。
【先行技術文献】
【特許文献】
【０００３】
【特許文献１】特開２００１−１１０５３３号公報
【発明の概要】
【発明が解決しようとする課題】
【０００４】
特許文献１のコネクタでは、コネクタの挿入力を低減するために、形状の異なる複数種類の接続端子を用意する必要があり、コネクタの構造が複雑になるという問題があった。
【課題を解決するための手段】
【０００５】
本明細書が開示するコネクタは、相手側コネクタへと複数の配線を接続するコネクタである。ここでは、典型例として、当該コネクタは２本の配線を相手側コネクタへ接続するコネクタを想定するが、本明細書が開示する技術は３本以上の配線を接続するコネクタにも適用可能であることに留意されたい。本明細書が開示するコネクタは、第１接続端子と、第２接続端子と、固定ハウジングと、第１可動ハウジングと、第２可動ハウジングと、第１ストッパと、第２ストッパを備えている。第１接続端子は、２本の配線の一方に接続されており、第２接続端子は他方の配線に接続されている。第１接続端子は、相手側コネクタにおける相手側第１接続端子と接触する。第２接続端子は、相手側コネクタにおける相手側第２接続端子と接触する。第１可動ハウジングは、第１接続端子を収容しており、当該コネクタの相手側コネクタへの挿抜方向に移動可能に固定ハウジングに支持されている。第２可動ハウジングは、第２接続端子を収容しており、挿抜方向に移動可能に固定ハウジングに支持されている。第１ストッパは、相手側コネクタの挿入方向における第１可動ハウジングの可動域を制限する。第２ストッパは、第１ストッパとは異なる制限量で、上記挿入方向における第２可動ハウジングの可動域を制限する。
【０００６】
上記形態におけるコネクタによれば、第１ストッパによる制限量と第２ストッパによる制限量が異なるため、相手側コネクタが挿入された際、先に可動限界に達した可動ハウジングが先に最大挿入力に達し、その挿入力が減少してから他方の可動ハウジングが可動限界に達して最大挿入力に達する。即ち、２個の接続端子に対して最大挿入力に達する位置をずらすことができる。したがって、複数種類の接続端子を用意することなく、コネクタに対する挿入力を低減することができる。
【図面の簡単な説明】
【０００７】
【図１】第１実施例における１組のコネクタの構成を示す説明図である（図２の矢視Ｆ１−Ｆ１からみた断面図）。
【図２】第１実施例における１組のコネクタの構成を示す説明図である（図１の矢視Ｆ２−Ｆ２からみた断面図）。
【図３】接続端子にオス端子を挿入する様子を示す説明図である（１）。
【図４】接続端子にオス端子を挿入する様子を示す説明図である（２）。
【図５】接続端子にオス端子を挿入する様子を示す説明図である（３）。
【図６】接続端子にオス端子を挿入する様子を示す説明図である（４）。
【図７】接続端子にオス端子を挿入する際における挿入力と挿入距離との関係を示すグラフである。
【図８】接続端子にオス端子をそれぞれ挿入する様子を示す説明図である（１）。
【図９】接続端子にオス端子をそれぞれ挿入する様子を示す説明図である（２）。
【図１０】接続端子にオス端子をそれぞれ挿入する様子を示す説明図である（３）。
【図１１】第２実施例におけるコネクタの構成を示す説明図である。
【図１２】第３実施例におけるコネクタの構成を示す説明図である。
【発明を実施するための形態】
【０００８】
（第１実施例）図１および図２は、第１実施例における１組のコネクタ１００、２００の構成を示す説明図である。図１には、図２の矢視Ｆ１−Ｆ１から見たコネクタ１００の断面およびコネクタ２００の外観が示されている。図２には、図１の矢視Ｆ２−Ｆ２から見たコネクタ１００、２００の断面が示されている。図１のＸＹＺ軸は、図２をはじめとする他の図におけるＸＹＺ軸に対応する。
【０００９】
１組のコネクタ１００、２００は、各種の電気機器における配線１７０と配線２７０とを接続する。コネクタ１００は、相手側コネクタであるコネクタ２００に複数の配線１７０を接続する。コネクタ１００は、コネクタ２００（相手側コネクタ）の挿入を受け入れるメスコネクタである。コネクタ２００は、コネクタ１００に嵌り合うオスコネクタである。図１および図２の例では、図中の座標系のＺ方向が、コネクタ１００（相手側のコネクタ２００）の挿抜方向に相当する。Ｚ軸の正方向が、相手側のコネクタ２００のコネクタ１００への挿入方向（挿入方向ＩＮ）に相当する。以下では、相手側のコネクタであるコネクタ２００のコネクタ１００への挿入方向を単純に挿入方向ＩＮと表記する場合がある。
【００１０】
相手側のコネクタであるコネクタ２００は、コネクタ本体２１０と、オス端子２３０とを備えている。コネクタ２００は、コネクタ１００に対応する複数のオス端子２３０を備えている。コネクタ本体２１０は、オス端子２３０および配線２７０を保持する筐体である。コネクタ本体２１０の内部において、オス端子２３０と配線２７０とは、電気的に接続されている。オス端子２３０は、コネクタ１００へと挿入される相手側接続端子である。オス端子２３０は、ピン端子である。オス端子２３０は、その先端に、先細り形状を成すテーパ部２３２を有している。配線２７０は、オス端子２３０を通じてコネクタ１００側へと電気的に接続される。
【００１１】
コネクタ１００は、固定ハウジング１１０と、第１可動ハウジング１２０ａと、第２可動ハウジング１２０ｂと、第３可動ハウジング１２０ｃと、第１接続端子１３０ａと、第２接続端子１３０ｂと、第３接続端子１３０ｃと、第１ストッパ１４０ａと、第２ストッパ１４０ｂと、第３ストッパ１４０ｃを備えている。以下では、第１可動ハウジング１２０ａと、第２可動ハウジング１２０ｂと、第３可動ハウジング１２０ｃをまとめて可動ハウジング１２０と称する場合がある。また、第１接続端子１３０ａと、第２接続端子１３０ｂと、第３接続端子１３０ｃをまとめて接続端子１３０と称し、第１ストッパ１４０ａと、第２ストッパ１４０ｂと、第３ストッパ１４０ｃをまとめてストッパ１４０と称する場合がある。
【００１２】
コネクタ１００の固定ハウジング１１０は、コネクタ１００の各部を保持する筐体である。固定ハウジング１１０は、可動ハウジング１２０、接続端子１３０、ならびに、ストッパ１４０を保持する。固定ハウジング１１０は、ハウジング部材１１２と、ハウジング部材１１４とを備えている。
【００１３】
ハウジング部材１１４の内側には、第１接続端子１３０ａを介して第１可動ハウジング１２０ａが支持されている。ハウジング部材１１４の内側には、第２接続端子１３０ｂを介して第２可動ハウジング１２０ｂが支持されている。ハウジング部材１１４の内側には、第３接続端子１３０ｃを介して第３可動ハウジング１２０ｃが支持されている。ハウジング部材１１４のコネクタ２００と対向する面には、コネクタ２００のオス端子２３０を受け入れる挿入孔１１６が設けられている。
【００１４】
ハウジング部材１１４のコネクタ２００との反対側には、ハウジング部材１１２が取り付けられている。以下では、コネクタ１００のコネクタ２００に対向する側をコネクタ１００の先端と称し、その反対側をコネクタ１００の後端と称する。ハウジング部材１１２は、ハウジング部材１１４の後端を覆っており、ハウジング部材１１４の内側に収容されている可動ハウジング１２０および接続端子１３０を抜け止めする。
【００１５】
コネクタ１００の第１可動ハウジング１２０ａは、第１接続端子１３０ａを収容する収容部１２２ａを有している。収容部１２２ａは、固定ハウジング１１０の挿入孔１１６を通じて挿入されるコネクタ２００のオス端子２３０を受け入れ可能に構成されている。第１可動ハウジング１２０ａは、挿抜方向（Ｚ方向）に移動可能に固定ハウジング１１０に支持されている。
【００１６】
コネクタ１００の第２可動ハウジング１２０ｂは、第２接続端子１３０ｂを収容する収容部１２２ｂを有している。収容部１２２ｂは、固定ハウジング１１０の挿入孔１１６を通じて挿入されるコネクタ２００のオス端子２３０を受け入れ可能に構成されている。第２可動ハウジング１２０ｂは、挿抜方向（Ｚ方向）に移動可能に固定ハウジング１１０に支持されている。
【００１７】
コネクタ１００の第３可動ハウジング１２０ｃは、第３接続端子１３０ｃを収容する収容部１２２ｃを有している。収容部１２２ｃは、固定ハウジング１１０の挿入孔１１６を通じて挿入されるコネクタ２００のオス端子２３０を受け入れ可能に構成されている。第３可動ハウジング１２０ｃは、挿抜方向（Ｚ方向）に移動可能に固定ハウジング１１０に支持されている。
【００１８】
コネクタ１００の第１接続端子１３０ａは、コネクタ２００のオス端子２３０と篏合（接触）することによって、オス端子２３０と電気的に接続される。第１接続端子１３０ａは、板金加工によって製造される部材である。第１接続端子１３０ａは、篏合部１３２ａと、屈曲部１３３と、可動部１３４と、接続部１３８とを有している。篏合部１３２ａは、オス端子２３０を挟み込むことによってオス端子２３０と篏合する。図１には、篏合部１３２ａに対応する位置にクロスハッチングが施されている。屈曲部１３３は、篏合部１３２ａにおいてオス端子２３０を挟み込む弾性力を発生させる。可動部１３４は、第１可動ハウジング１２０ａを、挿入方向ＩＮとは逆方向（Ｚ軸負方向）の可動限界位置へ付勢している。また、可動部１３４は、第１可動ハウジング１２０ａを挿入方向ＩＮ（Ｚ軸正方向）へと移動可能に固定ハウジング１１０に連結している。接続部１３８は、配線１７０へと電気的に接続される。
【００１９】
コネクタ１００の第２接続端子１３０ｂは、コネクタ２００のオス端子２３０と篏合（接触）することによって、オス端子２３０と電気的に接続される。第２接続端子１３０ｂは、オス端子２３０を挟み込むことによってオス端子２３０と篏合する篏合部１３２ｂを有している。図１には、篏合部１３２ｂに対応する位置にクロスハッチングが施されている。第２接続端子１３０ｂの構成は、第１接続端子１３０ａと同様である。
【００２０】
コネクタ１００の第３接続端子１３０ｃは、コネクタ２００のオス端子２３０と篏合（接触）することによって、オス端子２３０と電気的に接続される。第３接続端子１３０ｃは、オス端子２３０を挟み込むことによってオス端子２３０と篏合する篏合部１３２ｃを有している。図１には、篏合部１３２ｃに対応する位置にクロスハッチングが施されている。第３接続端子１３０ｃの構成も、第１接続端子１３０ａと同様である。
【００２１】
コネクタ１００の第１ストッパ１４０ａは、第１可動ハウジング１２０ａと固定ハウジング１１０との間に挟まれることによって、挿入方向ＩＮ（Ｚ軸正方向）における第１可動ハウジング１２０ａの可動域を制限する。第１ストッパ１４０ａは、ハウジング部材１１２の内側において、挿入方向ＩＮとは逆方向（Ｚ軸負方向）で可動制限に達している第１可動ハウジング１２０ａから挿入方向ＩＮ（Ｚ軸正方向）の側に距離Ｂａだけ離して設けられている。第１ストッパ１４０ａは、距離Ｂａを制限量として、固定ハウジング１１０に対する第１可動ハウジング１２０ａの挿入方向ＩＮへの可動域を制限する。
【００２２】
コネクタ１００の第２ストッパ１４０ｂは、第２可動ハウジング１２０ｂと固定ハウジング１１０との間に挟まれることによって、挿入方向ＩＮ（Ｚ軸正方向）における第２可動ハウジング１２０ｂの可動域を制限する。第２ストッパ１４０ｂは、ハウジング部材１１２の内側において、挿入方向ＩＮとは逆方向（Ｚ軸負方向）で可動制限に達している第２可動ハウジング１２０ｂから挿入方向ＩＮ（Ｚ軸正方向）の側に距離Ｂｂだけ離して設けられている。第２ストッパ１４０ｂは、距離Ｂｂを制限量として、固定ハウジング１１０に対する第２可動ハウジング１２０ｂの挿入方向ＩＮへの可動域を制限する。第２ストッパ１４０ｂの距離Ｂｂは、第１ストッパ１４０ａの距離Ｂａより大きい。
【００２３】
コネクタ１００の第３ストッパ１４０ｃは、第３可動ハウジング１２０ｃと固定ハウジング１１０との間に挟まれることによって、挿入方向ＩＮ（Ｚ軸正方向）における第３可動ハウジング１２０ｃの可動域を制限する。第３ストッパ１４０ｃは、ハウジング部材１１２の内側において、挿入方向ＩＮとは逆方向（Ｚ軸負方向）で可動制限に達している第３可動ハウジング１２０ｃから挿入方向ＩＮ（Ｚ軸正方向）の側に距離Ｂｃだけ離して設けられている。第３ストッパ１４０ｃは、距離Ｂｃを制限量として、固定ハウジング１１０に対する第３可動ハウジング１２０ｃの挿入方向ＩＮへの可動域を制限する。第３ストッパ１４０ｃの距離Ｂｃは、第２ストッパ１４０ｂの距離Ｂｂより大きい。
【００２４】
図３、図４、図５および図６は、第１接続端子１３０ａにオス端子２３０を挿入する様子を示す説明図である。図３、図４、図５および図６には、図２に相当するコネクタ１００、２００の断面が示されている。
【００２５】
第１接続端子１３０ａにオス端子２３０を挿入する場合、オス端子２３０は、固定ハウジング１１０の挿入孔１１６を通じて第１可動ハウジング１２０ａの収容部１２２ａに進入する。その後、オス端子２３０の先端のテーパ部２３２は、収容部１２２ａに収容されている第１接続端子１３０ａに突き当たる（図３を参照）。コネクタ２００のＺ軸正方向（挿入方向ＩＮ）へのオス端子２３０の移動に合わせて、第１接続端子１３０ａの可動部１３４が変形することによって、第１可動ハウジング１２０ａは、第１ストッパ１４０ａに突き当たるまでＺ軸正方向へと移動する（図４を参照）。その際、篏合部１３２ａに対するオス端子２３０の嵌合は進行しない。
【００２６】
第１可動ハウジング１２０ａが第１ストッパ１４０ａに突き当たるまでＺ軸正方向へと移動した後、更なるＺ軸正方向へのオス端子２３０の移動に合わせて、オス端子２３０のテーパ部２３２は、第１接続端子１３０ａの篏合部１３２ａへと進入する（図５を参照）。その後、更なるＺ軸正方向へのオス端子２３０の移動に合わせて、オス端子２３０のテーパ部２３２は、第１接続端子１３０ａの篏合部１３２ａを通過し、収容部１２２ａの奥へと進入する（図６を参照）。
【００２７】
第２接続端子１３０ｂにオス端子２３０を挿入するときの現象は、第２可動ハウジング１２０ｂが第２ストッパ１４０ｂに突き当たる点を除き、第１接続端子１３０ａにオス端子２３０を挿入するときの現象と同じである。第３接続端子１３０ｃにオス端子２３０を挿入するときの現象も、第３可動ハウジング１２０ｃが第３ストッパ１４０ｃに突き当たる点を除き、第１接続端子１３０ａにオス端子２３０を挿入するときの現象と同じである。
【００２８】
図７は、第１接続端子１３０ａにオス端子２３０を挿入する際における挿入力Ｐと挿入距離Ｄとの関係を示すグラフである。図７の横軸は、第１接続端子１３０ａにオス端子２３０を挿入する挿入距離Ｄを示し、図７の縦軸は、第１接続端子１３０ａにオス端子２３０を挿入する挿入力Ｐを示す。
【００２９】
挿入距離Ｄ１は、オス端子２３０の先端のテーパ部２３２が第１接続端子１３０ａの篏合部１３２ａに進入する挿入距離である（図５を参照）。挿入距離Ｄ２は、オス端子２３０の先端のテーパ部２３２が第１接続端子１３０ａの篏合部１３２ａを通過する挿入距離である。挿入距離Ｄ３は、オス端子２３０を収容部１２２ａの奥まで挿入する挿入距離である（図６を参照）。
【００３０】
挿入力Ｐは、挿入距離Ｄ１において最大値である挿入力Ｐ２となる。挿入力Ｐは、挿入距離Ｄ２から挿入距離Ｄ３にわたって、挿入力Ｐ２より小さい挿入力Ｐ１でほぼ一定となる。
【００３１】
第２接続端子１３０ｂに関する挿入力Ｐと挿入距離Ｄとの関係は、挿入距離Ｄ１、Ｄ２が距離（Ｂｂ−Ｂａ）だけ長くなる点を除き、第１接続端子１３０ａと同じである。第３接続端子１３０ｃに関する挿入力Ｐと挿入距離Ｄとの関係は、挿入距離Ｄ１、Ｄ２が距離（Ｂｃ−Ｂａ）だけ長くなる点を除き、第１接続端子１３０ａと同じである。
【００３２】
図８、図９および図１０は、第１接続端子１３０ａ、第２接続端子１３０ｂ、第３接続端子１３０ｃにオス端子２３０をそれぞれ挿入する様子を示す説明図である。図８、図９および図１０には、図１に相当するコネクタ１００の断面が示されている。
【００３３】
第１接続端子１３０ａ、第２接続端子１３０ｂ、第３接続端子１３０ｃにそれぞれオス端子２３０を挿入する場合、オス端子２３０の各々は、固定ハウジング１１０の挿入孔１１６を通じて第１可動ハウジング１２０ａの収容部１２２ａ、第２可動ハウジング１２０ｂの収容部１２２ｂ、および、第３可動ハウジング１２０ｃの収容部１２２ｃにそれぞれ進入する。その後、オス端子２３０のテーパ部２３２の各々は、第１接続端子１３０ａ、第２接続端子１３０ｂ、第３接続端子１３０ｃにそれぞれ突き当たる。
【００３４】
その後、Ｚ軸正方向（挿入方向ＩＮ）へのオス端子２３０の移動に合わせて、第１可動ハウジング１２０ａが第１ストッパ１４０ａに突き当る。この時点では、第２可動ハウジング１２０ｂは第２ストッパ１４０ｂに突き当っておらず、第３可動ハウジング１２０ｃも第３ストッパ１４０ｃに突き当っていない。その後、更なるＺ軸正方向へのオス端子２３０の移動に合わせて、第１可動ハウジング１２０ａにおいて、オス端子２３０のテーパ部２３２は、第１接続端子１３０ａの篏合部１３２ａと嵌り合う（図８を参照）。この時点では、第２可動ハウジング１２０ｂにおいて、オス端子２３０のテーパ部２３２は、第２接続端子１３０ｂの篏合部１３２ｂと嵌り合っておらず、第３可動ハウジング１２０ｃにおいて、オス端子２３０のテーパ部２３２は、第３接続端子１３０ｃの篏合部１３２ｃと嵌り合っていない。図８の時点において、第１可動ハウジング１２０ａにおける挿入力Ｐは、最大値である挿入力Ｐ１となり、第２可動ハウジング１２０ｂ、第３可動ハウジング１２０ｃにおける挿入力Ｐは、それぞれ挿入力Ｐ１より小さい。
【００３５】
第１可動ハウジング１２０ａにおいてオス端子２３０のテーパ部２３２が第１接続端子１３０ａの篏合部１３２ａと嵌り合った後（図８）、更なるＺ軸正方向へのオス端子２３０の移動に合わせて、第２可動ハウジング１２０ｂが第２ストッパ１４０ｂに突き当る。この時点では、第１可動ハウジング１２０ａは、第１ストッパ１４０ａと引き続き突き当たっており、第３可動ハウジング１２０ｃは、第３ストッパ１４０ｃに突き当っていない。その後、更なるＺ軸正方向へのオス端子２３０の移動に合わせて、第２可動ハウジング１２０ｂにおいて、オス端子２３０のテーパ部２３２は、第２接続端子１３０ｂの篏合部１３２ｂと嵌り合う（図９を参照）。この時点では、第１可動ハウジング１２０ａにおいて、オス端子２３０のテーパ部２３２は、第１接続端子１３０ａの篏合部１３２ａを通過中であり、第３可動ハウジング１２０ｃにおいて、オス端子２３０のテーパ部２３２は、第３接続端子１３０ｃの篏合部１３２ｃと嵌り合っていない。図９の時点において、第２可動ハウジング１２０ｂにおける挿入力Ｐは、最大値である挿入力Ｐ１となり、第１可動ハウジング１２０ａ、第３可動ハウジング１２０ｃにおける挿入力Ｐは、それぞれ挿入力Ｐ１より小さい。
【００３６】
第２可動ハウジング１２０ｂにおいてオス端子２３０のテーパ部２３２が第２接続端子１３０ｂの篏合部１３２ｂと嵌り合った後（図９）、更なるＺ軸正方向へのオス端子２３０の移動に合わせて、第３可動ハウジング１２０ｃが第３ストッパ１４０ｃに突き当る。この時点では、第１可動ハウジング１２０ａは、第１ストッパ１４０ａと引き続き突き当たっており、第２可動ハウジング１２０ｂは、第２ストッパ１４０ｂと引き続き突き当たっている。その後、更なるＺ軸正方向へのオス端子２３０の移動に合わせて、第３可動ハウジング１２０ｃにおいて、オス端子２３０のテーパ部２３２は、第３接続端子１３０ｃの篏合部１３２ｃと嵌り合う（図１０を参照）。この時点では、第１可動ハウジング１２０ａにおいて、オス端子２３０のテーパ部２３２は、第１接続端子１３０ａの篏合部１３２ａを通過しており、第２可動ハウジング１２０ｂにおいて、オス端子２３０のテーパ部２３２は、第２接続端子１３０ｂの篏合部１３２ｂを通過中である。図１０の時点において、第３可動ハウジング１２０ｃにおける挿入力Ｐは、最大値である挿入力Ｐ１となり、第１可動ハウジング１２０ａ、第２可動ハウジング１２０ｂにおける挿入力Ｐは、それぞれ挿入力Ｐ１より小さい。
【００３７】
第３可動ハウジング１２０ｃにおいてオス端子２３０のテーパ部２３２が第３接続端子１３０ｃの篏合部１３２ｃと嵌り合った後（図１０）、更なるＺ軸正方向へのオス端子２３０の移動に合わせて、第１接続端子１３０ａ、第２接続端子１３０ｂ、第３接続端子１３０ｃの各々に対するオス端子２３０の挿入が完了する。
【００３８】
以上説明した第１実施例のコネクタ１００によれば、第１ストッパ１４０ａ、第２ストッパ１４０ｂ、及び、第３ストッパ１４０ｃによる挿入方向ＩＮ（Ｚ軸正方向）への制限量である距離Ｂａ、Ｂｂ、Ｂｃが異なるため、第１接続端子１３０ａ、第２接続端子１３０ｂ、第３接続端子１３０ｃの各々において最大の挿入力Ｐ１となる挿抜方向（Ｚ方向）の位置をずらすことができる。したがって、複数種類の接続端子を用意することなく、低コストでコネクタ１００に対する挿入力を低減できる。
【００３９】
（第２実施例）図１１は、第２実施例におけるコネクタ１００Ｂの構成を示す説明図である。第２実施例のコネクタ１００Ｂは、第１ストッパ１４０ａ、第２ストッパ１４０ｂ、第３ストッパ１４０ｃに代えて第１ストッパ１４２ａ、第２ストッパ１４２ｂ、第３ストッパ１４２ｃを備える点を除き、第１実施例のコネクタ１００と同様である。
【００４０】
コネクタ１００Ｂの第１ストッパ１４２ａは、固定ハウジング１１０に代えて第１可動ハウジング１２０ａの後端に設けられている点を除き、第１実施例の第１ストッパ１４０ａと同じである。コネクタ１００Ｂの第２ストッパ１４２ｂは、固定ハウジング１１０に代えて第２可動ハウジング１２０ｂの後端に設けられている点を除き、第１実施例の第２ストッパ１４０ｂと同じである。コネクタ１００Ｂの第３ストッパ１４２ｃは、固定ハウジング１１０に代えて第３可動ハウジング１２０ｃの後端に設けられている点を除き、第１実施例の第３ストッパ１４０ｃと同じである。
【００４１】
以上説明した第２実施例のコネクタ１００Ｂによれば、第１実施例と同様に、第１接続端子１３０ａ、第２接続端子１３０ｂ、第３接続端子１３０ｃの各々において最大の挿入力Ｐ１となる挿抜方向（Ｚ方向）の位置をずらすことができる。したがって、複数種類の接続端子を用意することなく、コネクタ１００Ｂに対する挿入力を低減できる。
【００４２】
（第３実施例）図１２は、第３実施例におけるコネクタ１００Ｃの構成を示す説明図である。第３実施例のコネクタ１００Ｃは、固定ハウジング１１０Ｃと、第１可動ハウジング１２０ｄと、第２可動ハウジング１２０ｅと、第１接続端子１３０ｄと、第２接続端子１３０ｅと、第１ストッパ１４０ｄと、第２ストッパ１４０ｅとを備えている。
【００４３】
コネクタ１００Ｃの固定ハウジング１１０Ｃは、コネクタ１００Ｃの各部を保持する筐体である。固定ハウジング１１０Ｃは、第１可動ハウジング１２０ｄ、第２可動ハウジング１２０ｅ、第１接続端子１３０ｄ、第２接続端子１３０ｅ、ならびに、第１ストッパ１４０ｄ、第２ストッパ１４０ｅを保持する。固定ハウジング１１０Ｃは、ハウジング部材１１２Ｃと、ハウジング部材１１４Ｃとを備えている。
【００４４】
ハウジング部材１１４Ｃの内側には、複数の接続端子１３０ｄを介して第１可動ハウジング１２０ｄが挿抜方向に移動可能に支持されている。ハウジング部材１１４の内側には、複数の接続端子１３０ｅを介して第２可動ハウジング１２０ｅが挿抜方向に移動可能に支持されている。ハウジング部材１１４ＣのＺ軸負方向側には、第１実施例のハウジング部材１１４と同様に挿入孔１１６が設けられている。
【００４５】
ハウジング部材１１４ＣのＺ軸正方向側には、ハウジング部材１１２Ｃが取り付けられている。ハウジング部材１１２Ｃは、ハウジング部材１１４Ｃの内側に収容されている第１可動ハウジング１２０ｄ、第２可動ハウジング１２０ｅおよび第１接続端子１３０ｄ、第２接続端子１３０ｅを覆っている。
【００４６】
コネクタ１００Ｃの第１可動ハウジング１２０ｄは、第１接続端子１３０ｄを収容する複数の収容部１２２ｄを有する点を除き、第１実施例の第１可動ハウジング１２０ａと同じである。収容部１２２ｄの構成は、第１実施例の収容部１２２ａと同じである。
【００４７】
コネクタ１００Ｃの第２可動ハウジング１２０ｅは、第２接続端子１３０ｅを収容する複数の収容部１２２ｅを有する点を除き、第１実施例の第２可動ハウジング１２０ｂと同じである。収容部１２２ｅの構成は、第１実施例の収容部１２２ｂと同じである。
【００４８】
コネクタ１００Ｃの第１接続端子１３０ｄの構成は、第１実施例の第１接続端子１３０ａと同じである。第１接続端子１３０ｄは、オス端子２３０を挟み込むことによってオス端子２３０と篏合する篏合部１３２ｄを有している。図１２には、篏合部１３２ｄに対応する位置にクロスハッチングが施されている。
【００４９】
コネクタ１００Ｃの第２接続端子１３０ｅの構成は、第１実施例の第１接続端子１３０ａと同じである。第２接続端子１３０ｅは、オス端子２３０を挟み込むことによってオス端子２３０と篏合する篏合部１３２ｅを有している。図１２には、篏合部１３２ｅに対応する位置にクロスハッチングが施されている。
【００５０】
コネクタ１００Ｃの第１ストッパ１４０ｄは、第１可動ハウジング１２０ｄと固定ハウジング１１０Ｃとの間に挟まれることによって、相手側コネクタ（不図示）のコネクタ１００Ｃに対する挿入方向（Ｚ軸正方向）における第１可動ハウジング１２０ｄの可動域を制限する。第１ストッパ１４０ｄは、ハウジング部材１１２Ｃの内側において、挿入方向とは逆方向（Ｚ軸負方向）での可動域の限界に位置している第１可動ハウジング１２０ｄから挿入方向（Ｚ軸正方向）の側に距離Ｂｄだけ離して設けられている。第１ストッパ１４０ｄは、距離Ｂｄを制限量として、第１可動ハウジング１２０ｄの挿入方向（Ｚ軸正方向）への可動域を制限する。
【００５１】
コネクタ１００Ｃの第２ストッパ１４０ｅは、第２可動ハウジング１２０ｅと固定ハウジング１１０Ｃとの間に挟まれることによって、相手側コネクタ（不図示）のコネクタ１００Ｃに対する挿入方向（Ｚ軸正方向）における第２可動ハウジング１２０ｅの可動域を制限する。第２ストッパ１４０ｅは、ハウジング部材１１２Ｃの内側において、挿入方向とは逆方向（Ｚ軸負方向）での可動域の限界に位置している第２可動ハウジング１２０ｅから挿入方向（Ｚ軸正方向）の側に距離Ｂｅだけ離して設けられている。第２ストッパ１４０ｅは、距離Ｂｅを制限量として、第２可動ハウジング１２０ｅの挿入方向（Ｚ軸正方向）への可動域を制限する。第２ストッパ１４０ｅの距離Ｂｅは、第１ストッパ１４０ｄの距離Ｂｄより大きい。
【００５２】
以上説明した第３実施例のコネクタ１００Ｃによれば、第１実施例と同様に、第１接続端子１３０ｄ、第２接続端子１３０ｅの各々において最大の挿入力Ｐ１となる挿抜方向（Ｚ軸方向）の位置をずらすことができる。したがって、複数種類の接続端子を用意することなく、コネクタ１００Ｃに対する挿入力を低減できる。
【００５３】
可動ハウジングの可動域を制限するストッパは、固定ハウジングおよび可動ハウジングの一方ではなく、両方に設けられていてもよい。可動ハウジングに収容される接続端子の数は、１つや３つに限らず、１つ以上であればよい。可動ハウジングの数も、少なくとも２個あればよく、３個以上であってもよい。
【００５４】
以上、実施例を詳細に説明したが、これらは例示にすぎず、特許請求の範囲を限定するものではない。特許請求の範囲に記載の技術には、上述した実施例を様々に変形、変更したものが含まれる。また、本明細書または図面において説明した技術要素は、単独であるいは各種の組合せによって技術的有用性を発揮するものであり、出願時の請求項に記載した組合せに限定されるものではない。また、本明細書または図面において説明した技術は、複数の目的を同時に達成するものであり、そのうちの一つの目的を達成すること自体で技術的有用性を持つものである。
【符号の説明】
【００５５】
１００、１００Ｂ、１００Ｃ…コネクタ
１１０、１１０Ｃ…固定ハウジング
１１２、１１２Ｃ…ハウジング部材
１１４、１１４Ｃ…ハウジング部材
１１６…挿入孔
１２０ａ、１２０ｂ、１２０ｃ、１２０ｄ、１２０ｅ…可動ハウジング
１２２ａ、１２２ｂ、１２２ｃ、１２２ｄ、１２２ｅ…収容部
１３０ａ、１３０ｂ、１３０ｃ、１３０ｄ、１３０ｅ…接続端子
１３２ａ、１３２ｂ、１３２ｃ、１３２ｄ、１３２ｅ…篏合部
１３３…屈曲部
１３４…可動部
１３８…接続部
１４０ａ、１４０ｂ、１４０ｃ、１４０ｄ、１４０ｅ…ストッパ
１４２ａ、１４２ｂ、１４２ｃ…ストッパ
１７０…配線
２００…コネクタ
２１０…コネクタ本体
２３０…オス端子
２３２…テーパ部
２７０…配線
【図１】
2019075337.tif 000003
【図２】
2019075337.tif 000004
【図３】
2019075337.tif 000005
【図４】
2019075337.tif 000006
【図５】
2019075337.tif 000007
【図６】
2019075337.tif 000008
【図７】
2019075337.tif 000009
【図８】
2019075337.tif 000010
【図９】
2019075337.tif 000011
【図１０】
2019075337.tif 000012
【図１１】
2019075337.tif 000013
【図１２】
2019075337.tif 000014